(57)【要約】      （修正有）【課題】利用者が足置きを利用して体に負担がかかり難い楽な姿勢を取ることができるキャビネット及び化粧台を提供する。【解決手段】キャビネット２の足置き収納部３６には、足置き３７が引出可能に設けられており、足置き３７が収納位置に配置されたとき、足置き３７は足置き収納部３６に収納され、足置き３７が引出位置に配置されたとき、足置き３７は、足置き収納部３６から前方に突出する。足置き３７は、前下がりの足置き面５０を有しており、足置き面５０は、上前板の上面における前端部よりも後方の部分で構成されている。【選択図】図１
2019037740.tif 000002
【特許請求の範囲】
【請求項１】
足置きを備え、
前記足置きは、
前下がりの足置き面を有することを特徴とするキャビネット。
【請求項２】
前記足置き面は、前記足置き面の前端と後端との間の部分が、前記前端と前記後端とを結ぶ仮想平面よりも上方に張り出すように形成されたことを特徴とする請求項１に記載のキャビネット。
【請求項３】
前記足置きは、
前記足置き面の前端部の前方に位置する踵受け面を備えたことを特徴とする請求項１又は請求項２に記載のキャビネット。
【請求項４】
前記足置きが出入可能に収納される足置き収納部を備えたことを特徴とする請求項１〜３のいずれか１項に記載のキャビネット。
【請求項５】
前記足置きが前記足置き収納部に対して前方に引出可能であり、
前記足置き収納部から引き出された前記足置きが、後方に移動することを規制するロック機構を備えたことを特徴とする請求項４に記載のキャビネット。
【請求項６】
床に設置されるキャビネット本体を備え、
前記キャビネット本体における上下方向の中間部に、前記足置き収納部が形成されたことを特徴とする請求項５に記載のキャビネット。
【請求項７】
前記ロック機構による前記足置きの後方への移動の規制を解除するロック解除機構を備えたことを特徴とする請求項６に記載のキャビネット。
【請求項８】
足置きを備え、
前記足置きは、
前下がりの足置き面を有することを特徴とする化粧台。
【請求項９】
洗面ボウルを備え、
前記足置きが、前記洗面ボウルよりも下方に位置することを特徴とする請求項８に記載の化粧台。
【発明の詳細な説明】
【技術分野】
【０００１】
本発明は、キャビネット、及び化粧台に関する。
【背景技術】
【０００２】
特許文献１には、洗面化粧台からなるフロアキャビネットが開示されている。このフロアキャビネットは、台輪部と、箱体とを備えている。台輪部には台輪空間が形成されている。箱体は、台輪空間に出し入れ自在に収納される。箱体は、収納箱として利用される。また、箱体は、幼児が洗面化粧台を使用するときの踏み台としても利用される。
【先行技術文献】
【特許文献】
【０００３】
【特許文献１】特開２００７−３０７０４３号公報
【発明の概要】
【発明が解決しようとする課題】
【０００４】
前記箱体の上面は、水平である。このため、例えば利用者が椅子等に前傾となって座った状態で箱体の上面に足を置いたとき、利用者は足側に体重をかけ難く、また、必要以上に前傾となって体に負担のかかりやすい姿勢になりやすい。
【０００５】
本発明は前記事情に鑑みてなされたものであって、利用者が足側に体重をかけて体に負担のかかり難い姿勢で座ることができるキャビネット及び化粧台を提供することを目的とする。
【課題を解決するための手段】
【０００６】
前記目的を達成するために本発明に係る一態様のキャビネットは、以下の特徴を有する。キャビネットは、足置きを備える。前記足置きは、前下がりの足置き面を有する。
【０００７】
また、本発明に係る一態様の化粧台は、足置きを備える。前記足置きは、前下がりの足置き面を有する。
【発明の効果】
【０００８】
本発明に係る一態様のキャビネット及び化粧台にあっては、利用者は足側に体重をかけて体に負担のかかり難い姿勢で座ることができる。
【図面の簡単な説明】
【０００９】
【図１】図１は、本発明に係る第１実施形態の化粧台を設置した状態を示した斜視図である。
【図２】図２は、同上の化粧台が備える第１キャビネットの斜視図である。
【図３】図３Ａ及び図３Ｂは、同上の第１キャビネットの右側面図であって、右側の側板の図示を省略した図である。図３Ａは第１キャビネットの足置きを引き出した状態を示した図である。図３Ｂは前記足置きを収納した状態を示した図である。
【図４】図４は、同上の足置きの上前板の断面図である。
【図５】図５は、同上の第１キャビネットの要部の右側面図であって、右側の側板の図示を省略した図である。
【図６】図６Ａ〜図６Ｃは、同上の第１キャビネットの要部の右側面図であって、右側の側板の図示を省略した図である。図６Ａは同上の足置きを引出位置に配置したときにおいてロック機構によりロックされた状態を示した図である。図６Ｂは、図６Ａに示す足置きを前方の前位置に配置した状態を示した図である。図６Ｃは、前位置に配置した足置きを後方に動かしたときの状態を示した図である。
【図７】図７は本発明に係る第２実施形態の第１キャビネットの斜視図である。
【図８】図８は同上の第１キャビネットの上前板の断面図である。
【図９】図９Ａ及び図９Ｂは、本発明に係る第３実施形態の化粧台の第１キャビネットを示し、図９Ａは足置きが収納された状態を示し、図９Ｂは足置きが引き出された状態を示す。
【図１０】同上の第１キャビネットの要部を示し、一部を切欠いて示した斜視図である。
【図１１】同上の第１キャビネットの足置きを引き出した状態を示した要部の断面図である。
【図１２】図１２Ａ〜図１２Ｄは、本発明に係る第４実施形態の化粧台において、足置きが引き出される様子を順に示した要部の断面図である。
【発明を実施するための形態】
【００１０】
以下、添付図面に基づき、実施形態について説明する。以下に示す実施形態は、キャビネット及び化粧台に関し、詳しくは、足置きを備えたキャビネット及び化粧台に関する。
【００１１】
まず、第１実施形態について説明する。本実施形態のキャビネット２は、フロアキャビネットであって、化粧をする際に用いられる図１に示す化粧台（洗面化粧ユニット）１のキャビネットとして用いられる。本実施形態の化粧台１は、化粧及び洗面をする際に用いられる洗面化粧台であり、キャビネット２と、鏡１０と、ミラーキャビネット１２とを備えている。
【００１２】
本実施形態の化粧台１は、キャビネット２として、第１キャビネット２１と、第２キャビネット２２との２つのキャビネット２を備えている。
【００１３】
化粧台１が設置される部屋は、例えば、図１に示すように、２つの壁９１，９２を備えている。以下、２つの壁９１，９２のうちの一方を第１壁９１といい、他方を第２壁９２という。
【００１４】
第１壁９１と第２壁９２とは、平面視において直角に交わっている。図１に示す例では、第１キャビネット２１は第１壁９１に沿って配置され、第２キャビネット２２は第２壁９２に沿って配置されている。これら第１キャビネット２１と第２キャビネット２２とは、平面視においてＬ字状に連続するように配置されている。
【００１５】
以下、化粧台１の各構成につき、図１に示すように設置された状態における方向を用いて説明する。具体的には第１壁９１から第１キャビネット２１に向かう方向を前方と定義する。また、第１キャビネット２１から第１壁９１に向かう方向を後方と定義する。また、化粧台１を前方から見たときを基準にして左右方向を定義する。
【００１６】
第１キャビネット２１は、洗面ボウル３０を備えた洗面台である。第２キャビネット２２は、洗面ボウルを備えていない台である。第１キャビネット２１は、キャビネット本体３１と、キャビネット本体３１上に設けられたカウンター４１とを備えている。第２キャビネット２２は、キャビネット本体３２と、キャビネット本体３２上に設けられたカウンター４２とを備えている。
【００１７】
以下、必要に応じて、第１キャビネット２１のキャビネット本体３１を第１キャビネット本体３１といい、第２キャビネット２２のキャビネット本体３２を第２キャビネット本体３２という。また、第１キャビネット２１のカウンター４１を第１カウンター４１といい、第２キャビネット２２のカウンター４２を第２カウンター４２という。
【００１８】
各キャビネット本体３１，３２は、床９３に設置されている。各キャビネット本体３１，３２は、箱状に形成されている。各キャビネット本体３１，３２は、例えば木製である。各キャビネット本体３１，３２には、化粧用品及び洗面用品等の物品（以下、「物品」という）を出入可能に収納するための物品収納部５４，５５が形成されている。
【００１９】
第１キャビネット本体３１の物品収納部５４は、前方に開口した凹状に形成されている。物品収納部５４の内部には、物品を収納可能な物品収納空間５４０が形成されている。物品収納部５４の前端部には、開口部５４１が形成されている。物品収納空間５４０は、開口部５４１から前方（第１壁９１とは反対側に向かう方向）に開放されている。利用者は開口部５４１を通じて物品収納空間５４０に物品を出し入れすることができる。本実施形態の第１キャビネット２１は開口部５４１を閉塞する扉等の閉塞部材を備えていない。
【００２０】
第１キャビネット２１の上面は、第１カウンター４１の上面で構成されている。第１カウンター４１は、第１キャビネット本体３１で支持されている。
【００２１】
第１カウンター４１は例えば樹脂製である。第１カウンター４１は、板状であって、平面視において左右方向に延びた矩形状に形成されている。第１キャビネット２１は、第１カウンター４１の後端が第１壁９１に沿い、かつ第１カウンター４１の左端が第２壁９２に沿った状態で、床９３に設置されている。
【００２２】
第１カウンター４１には、洗面ボウル３０が設けられている。本実施形態の洗面ボウル３０は、第１カウンター４１と一体に形成されており、第１カウンター４１の上面に形成された凹部によって構成されている。本実施形態の洗面ボウル３０は、第１カウンター４１における右側半部に形成されている。
【００２３】
本実施形態の第１キャビネット２１は、水栓３３をさらに備えている。水栓３３は洗面ボウル３０に設けられている。
【００２４】
本実施形態の第１カウンター４１において洗面ボウル３０よりも左側（第２壁９２側）の部分は、物品載置部３４となっている。物品載置部３４の上面は平坦な面である。このため、利用者は、物品載置部３４に物品を安定して置くことができる。
【００２５】
本実施形態の第１キャビネット本体３１は、洗面ボウル３０の下方に位置しており、物品載置部３４の下方には位置していない。
【００２６】
第１キャビネット２１の物品載置部３４の下方には、物品載置部３４、第１キャビネット本体３１、第１壁９１、第２壁９２及び床９３によって囲まれ、前方に開放された第１空間６１が形成されている。
【００２７】
本実施形態の化粧台１は、鏡１０を備えている。鏡１０は、第１壁９１において第１カウンター４１よりも上方の部分に取り付けられている。利用者は、鏡１０を見ながら、第１キャビネット２１を利用することができる。
【００２８】
第２キャビネット本体３２の物品収納部５５には、物品を収納するための物品収納空間５５０が形成されている。物品収納部５５には、物品収納空間５５０を第２壁９２とは反対側（右側）に向かって開放する開口部５５１が形成されている。利用者は開口部５５１を通じて物品収納空間５５０に物品を出し入れすることができる。本実施形態の開口部５５１は、第２キャビネット２２が備えた開閉可能な扉３５によって覆われる。
【００２９】
第２キャビネット２２の上面は、第２カウンター４２の上面で構成されている。第２カウンター４２は、第２キャビネット本体３２で支持されている。
【００３０】
第２カウンター４２は、板状であって、平面視において前後方向に延びた矩形状に形成されている。第２キャビネット２２は、第２カウンター４２の左端が第２壁９２に沿った状態で、かつ第２カウンター４２の後端が第１壁９１に沿った状態で、床９３に設置されている。第２カウンター４２の第１壁９１側（後側）の端部は、第１空間６１に収納されている。第２カウンター４２は、第１カウンター４１よりも下方に配置されている。
【００３１】
第２キャビネット本体３２は、第２カウンター４２の第１壁９１とは反対側（前側）の端部の下方に位置している。第２キャビネット２２は、第２カウンター４２の第１壁９１側の端部を支持する脚部（図示せず）を備えている。脚部は第１空間６１に配置され、床９３に設置されている。
【００３２】
第２カウンター４２において第２キャビネット本体３２よりも第１壁９１側に位置する部分の下方には、第２カウンター４２、第２キャビネット本体３２、第１壁９１、第２壁９２及び床９３によって囲まれた第２空間６２が形成されている。第２空間６２は第２壁９２とは反対側（右側）に向かって開放されている。
【００３３】
本実施形態の化粧台１は、第２空間６２に出入可能に収納される椅子１１を備えている。利用者は、椅子１１を第２空間６２から引き出し、この椅子１１に座って、第１キャビネット２１及び第２キャビネット２２を利用することができる。利用者は、例えば、第２空間６２から引き出された椅子１１に座り、第２空間６２に両脚を入れた状態で、化粧を行うことができる。
【００３４】
本実施形態の化粧台１は、ミラーキャビネット１２を備えている。ミラーキャビネット１２は、第２壁９２において第２キャビネット２２よりも上方の部分に取り付けられている。利用者は、ミラーキャビネット１２に物品を収納することができる。利用者は、ミラーキャビネット１２の鏡（鏡扉）１３を見ながら、第２キャビネット２２を利用することができる。
【００３５】
第１キャビネット２１は、図２に示す、足置き収納部３６と、足置き収納部３６に引出可能に設けられた足置き３７とを備えている。利用者は、足置き収納部３６から足置き３７を引き出して足置き３７を利用することができる。また、利用者は、足置き収納部３６から引き出された足置き３７を後方に押し込んで足置き収納部３６に収納することができる。利用者は、例えば椅子１１（図１参照）に座り、足置き収納部３６から引き出された足置き３７に足を置いた状態で、ペディキュアをしたり、脚にボディクリームを塗ったりすることができる。
【００３６】
図２に示すように、本実施形態の足置き収納部３６は、第１キャビネット本体３１における上下方向の中間部に位置している。
【００３７】
本実施形態の第１キャビネット本体３１は、一対の側板３８，３８、背板４０（図３Ａ参照）、幕板４３及び蹴込板４４を備えている。
【００３８】
第１キャビネット本体３１の左右の側面は、一対の側板３８，３８の外面でそれぞれ構成されている。一対の側板３８，３８は左右方向に離れて位置しており、対向している。各側板３８は側面視矩形状で左右方向に直交する鉛直な板である。
【００３９】
第１キャビネット本体３１の後面は、図３Ａに示す背板４０の後面で構成されている。背板４０は正面視矩形状で前後方向に直交する鉛直な板である。背板４０の左右両端部は、一対の側板３８，３８の後端部にそれぞれ接続されている。
【００４０】
第１キャビネット本体３１の前面は、幕板４３の前面と蹴込板４４の前面とで構成されている。幕板４３は正面視矩形状で前後方向に直交する鉛直な板である。幕板４３は第１キャビネット本体３１の上端部に位置している。幕板４３の左右両端部は、一対の側板３８，３８の前端の上端部にそれぞれ接続されている。
【００４１】
蹴込板４４は正面視矩形状で前後方向に直交する鉛直な板である。蹴込板４４は第１キャビネット本体３１の下端部に位置している。蹴込板４４の左右両端部は、一対の側板３８，３８の前端の下端部にそれぞれ接続されている。第１キャビネット本体３１には、一対の側板３８，３８、背板４０、幕板４３及び蹴込板４４で囲まれた内部空間が形成されている。
【００４２】
第１キャビネット本体３１は、複数の横板７１，７２及び複数の縦板８１，８２をさらに備えている。第１キャビネット本体３１の内部空間は、複数の横板７１，７２及び複数の縦板８１，８２によって仕切られている。
【００４３】
本実施形態の第１キャビネット本体３１は、複数の横板７１，７２として、第１横板７１と、第２横板７２とを備えている。
【００４４】
第１横板７１及び第２横板７２の各々は、平面視矩形状の水平な板である。第１横板７１及び第２横板７２は、一対の側板３８，３８の間に配置されている。第１横板７１及び第２横板７２は、背板４０の前方に間隔をあけて配置されており、第１キャビネット本体３１の前部に位置している。
【００４５】
第１横板７１は幕板４３よりも下方に位置している。第１横板７１の左右両端部は、一対の側板３８，３８にそれぞれ接続されている。
【００４６】
第２横板７２は第１横板７１の下方に間隔をあけて配置されている。第２横板７２は蹴込板４４の上方に配置されている。第２横板７２の下面は蹴込板４４の上端面に接している。第２横板７２の左右両端部は、一対の側板３８，３８にそれぞれ接続されている。
【００４７】
本実施形態の第１キャビネット本体３１は、複数の縦板８１，８２として、第１縦板８１と、第２縦板８２とを備えている。第１縦板８１及び第２縦板８２の各々は、正面視矩形状で前後方向に直交した鉛直な板である。第１縦板８１及び第２縦板８２は、一対の側板３８，３８の間に配置されている。第１縦板８１及び第２縦板８２は、第１キャビネット本体３１の前後方向における中間部に位置している。
【００４８】
第１縦板８１は第１横板７１の後部の上方に配置されている。第１縦板８１の下端面は第１横板７１の上面に接している。第１縦板８１の左右両端部は、一対の側板３８，３８にそれぞれ接続されている。
【００４９】
第１キャビネット本体３１の内部には、第１縦板８１及び第２縦板８２の後方に位置し、背板４０、一対の側板３８，３８、第１縦板８１及び第２縦板８２で囲まれた設備用空間４５が形成されている。設備用空間４５には、水栓３３に接続された給水管（図示せず）及び洗面ボウル３０の排水口３９に接続された排水管９８等が配置されている。
【００５０】
前述した物品収納部５４は、一対の側板３８，３８、第１縦板８１及び第１横板７１で構成されている。物品収納部５４の左右の内側面は、一対の側板３８，３８の内面でそれぞれ構成されている。物品収納部５４の奥面は、第１縦板８１の前面で構成されており、物品収納部５４の底面は、第１横板７１の上面で構成されている。
【００５１】
物品収納部５４の内側には、一対の側板３８，３８、第１縦板８１及び第１横板７１で囲まれた物品収納空間５４０が形成されている。物品収納空間５４０は、第１横板７１の前端部と幕板４３との間に形成された開口部５４１から前方に開放されている。利用者は、物品を開口部５４１を通じて物品収納空間５４０に入れ、第１横板７１に載せることで、物品収納空間５４０に物品を収納することができる。この場合、第１横板７１は棚板として利用される。
【００５２】
前述した足置き収納部３６は、一対の側板３８，３８、背板４０、第１横板７１及び第２横板７２で構成されており、前方に開口している。
【００５３】
足置き収納部３６の左右の内側面は、一対の側板３８，３８の内面でそれぞれ構成されている。足置き収納部３６の底面は、第２横板７２の上面で構成されており、足置き収納部３６の天面は、第１横板７１の下面で構成されている。
【００５４】
足置き収納部３６の内側には、一対の側板３８，３８、第１横板７１及び第２横板７２で囲まれ、前方に開放された足置き収納空間４６が形成されている。
【００５５】
足置き収納部３６には、足置き３７が引出可能に設けられている。足置き３７は、図３Ｂに示す収納位置と、図３Ａに示す引出位置との間で、前後方向に移動可能である。
【００５６】
足置き３７が図３Ｂに示す収納位置に配置されたとき、足置き３７は足置き収納部３６（足置き収納空間４６）に収納される。足置き３７が図３Ａに示す引出位置に配置されたとき、足置き３７は、足置き収納部３６（足置き収納空間４６）から前方に突出する。
【００５７】
本実施形態の足置き３７は、図２から明らかなように、長手方向が左右方向と平行である。また、足置き３７の左右方向の長さは、一対の側板３８，３８間の距離と略同じであり、足置き３７は足置き収納空間４６の左右方向の略全長に亘る。本実施形態の足置き３７には、利用者の両足を置くことができる。本実施形態の足置き３７は、図３Ｂに示すように足置き収納空間４６の上端部に収納される。
【００５８】
図３Ａに示すように、第２縦板８２は、第１横板７１の下方でかつ第２横板７２の後端部の上方に配置されている。第２縦板８２の下端面は、第２横板７２の上面に接している。第２縦板８２の左右両端部は、一対の側板３８，３８にそれぞれ接続されている。
【００５９】
図３Ｂに示すように、足置き３７は、足置き収納空間４６において第２縦板８２よりも上方の空間に収納される。足置き収納空間４６において、足置き３７よりも下方に位置し、かつ第２縦板８２の前方に位置する領域４７は、物品を収納するための収納空間として利用される。すなわち、足置き収納空間４６は、物品を収納するための空間を兼ねる。利用者は、物品を領域４７に入れて第２横板７２に載せることで、領域４７に物品を収納することができる。この場合、第２横板７２は棚板として利用される。
【００６０】
本実施形態の足置き３７は、図２に示す上後板４８、上前板４９及び左右一対の端板５６，５６を備えている。足置き３７の上面は上後板４８の上面と上前板４９の上面とで構成されている。足置き３７の左右の端部は、左右の端板５６，５６でそれぞれ構成されている。
【００６１】
上後板４８は平面視矩形状で第１横板７１の下面に沿った水平な板状に形成されている。上後板４８の左右両端部は、左右の端板５６，５６にそれぞれ接続されている。
【００６２】
上前板４９は上後板４８の前方に位置しており、上後板４８と隣接している。本実施形態の上前板４９は、樹脂製である。
【００６３】
上前板４９は概ね前下がりで傾斜している。上前板４９の左右両端部は、左右の端板５６，５６にそれぞれ接続されている。本実施形態の上前板４９の上面は、左右方向と直交する断面の形状が、上前板４９の左右方向の全長に亘って同じである。
【００６４】
図４に示すように、上前板４９の上面は、利用者の足が置かれる、前下がりの足置き面５０を有している。本実施形態の足置き面５０は、上前板４９の上面における前端部よりも後方の部分で構成されている。
【００６５】
本実施形態の足置き面５０は、足置き面５０の前端ａ１と後端ａ２との間の部分が、前端ａ１と後端ａ２とを結ぶ仮想平面Ｐよりも上方に張り出すように形成されている。
【００６６】
本実施形態の足置き面５０は、足置き面５０の後端ａ２から前端ａ１に向かって順に並んだ、第１部分５１、第２部分５２及び第３部分５３で構成されている。
【００６７】
足置き面５０の後端部は、第１部分５１で構成されている。第１部分５１は水平な面である。図２に示すように第１部分５１は、上後板４８の上面と同じ高さに位置し、上後板４８の上面と面一である。
【００６８】
図４に示すように足置き面５０の前後方向の中間部は、第２部分５２で構成されている。第２部分５２は前端に近い部分ほど下方に位置するように前下がりで傾斜した傾斜面である。第２部分５２は稜が形成されないように弧状の曲面を介して第１部分５１に繋がっている。第２部分５２は第１部分５１に連続した面である。
【００６９】
足置き面５０の前端部は、第３部分５３で構成されている。第３部分５３は前下がりで傾斜した傾斜面である。第３部分５３は、第２部分５２よりも水平に対する傾斜角度が大きく、第２部分５２と比較して急峻である。第３部分５３は稜が形成されないように弧状の曲面を介して第２部分５２に繋がっている。第３部分５３は第２部分５２に連続した面である。
【００７０】
本実施形態の上前板４９の上面は、足置き面５０の前端部（第３部分５３）の前方に位置する踵受け面５８を備えている。踵受け面５８は、上前板４９の上面の前端部で構成されている。踵受け面５８は、側方から見て下方に窪んだ弧状の曲面であり、前後方向の中央に近い部分ほど下方に位置している。
【００７１】
踵受け面５８は稜が形成されないように足置き面５０の第３部分５３に繋がっている。踵受け面５８は第３部分５３に連続した面である。
【００７２】
上前板４９は、平均的な大きさの足を有する利用者の踵９４が、踵受け面５８に載り、かつ足裏における踵９４よりも足先側に位置する部分の略全体が、足置き面５０に密着して載るように設計される。特に足置き面５０は、足指９６が第１部分５１に載り、足裏における踵９４と足指９６との間のアーチ状部分（土踏まず）９５が、第２部分５２及び第３部分５３に載るように設計される。
【００７３】
第１キャビネット２１は、図２に示す引出機構６３を備えている。引出機構６３は、足置き収納部３６に設けられ、足置き３７を引出可能に支持する。
【００７４】
本実施形態の引出機構６３は、スライドレール機構であり、足置き３７が水平な前後方向に往復直線運動できるように足置き３７を支持している。
【００７５】
引出機構６３は、第１キャビネット本体３１の左右の側板３８，３８にそれぞれ取り付けられた左右一対のスライドレール６４を備えている。なお、左右のスライドレール６４のうちの左側のスライドレールは、図示されていないが、右側のスライドレール６４と同様の構造である。
【００７６】
図３Ａに示すように、各スライドレール６４は、固定レール６６と移動レール６７とを備えている。
【００７７】
固定レール６６は、第１キャビネット本体３１の対応する側板３８の内面に固定されている。移動レール６７は、足置き３７の対応する端板５６に対して固定されており、対応する固定レール６６によって前後方向に移動可能に支持されている。
【００７８】
本実施形態のスライドレール６４は、３段引きのスライドレールである。すなわち、移動レール６７は、固定レール６６に移動可能に支持された第１レール６７１と、第１レール６７１に移動可能に支持され、かつ足置き３７の端板５６に対して固定された第２レール６７２とを備えている。
【００７９】
本実施形態の足置き３７は、図３Ａに示す引出位置から、やや前方の前位置に動かされた後に後方に動かされることで、収納位置に配置される。
【００８０】
本実施形態の第１キャビネット２１は、足置き３７が前位置よりも前方に動かされようとしたときに、足置き３７が脱落することを規制するストッパー６８を備えている。本実施形態のストッパー６８は、第２縦板８２で構成されている。
【００８１】
本実施形態では、足置き３７が備えた当接部６９が、ストッパー６８に当たることにより、足置き３７が前位置よりも前方に移動することが規制される。
【００８２】
本実施形態の当接部６９は、足置き３７の左右の端板５６，５６の各々に形成されており、下方に突出している。なお、左右の当接部６９のうち、左側の当接部は図示されていないが、右側の当接部６９と同様の構造である。また、本実施形態の左右の当接部６９は、左右の端板５６，５６の一部であるが、左右の端板５６，５６とは別部材であってもよい。
【００８３】
各当接部６９は、第２縦板８２の上端部の後方に位置し、前位置に配置された足置き３７に前向きの外力が作用したとき、第２縦板８２の上端部の後面に当たる。これにより、足置き３７は、それ以上前方に移動できない状態となり、足置き収納部３６から前方に脱落し難くなる。
【００８４】
第１キャビネット２１は、図３Ａに示す引出位置に配置された足置き３７が、引出方向と反対方向（後方）に移動することを規制するロック機構７３を備えている。また、第１キャビネット２１は、ロック機構７３による足置き３７の後方への移動の規制を解除するロック解除機構７９を備えている。
【００８５】
ロック機構７３は、足置き収納部３６に設けられた掛止部７４と、足置き３７に設けられて掛止部７４に着脱可能に引っ掛けられる被掛止部７６とを備えている。
【００８６】
本実施形態のロック機構７３は、足置き収納部３６に設けられた左右一対の掛止部７４を備えている。なお、左右の掛止部７４のうち、左側の掛止部は図示されていないが、右側の掛止部と同様の構造である。
【００８７】
左右の掛止部７４は、左右の側板３８，３８の内面にそれぞれ取り付けられている。左右の掛止部７４の各々は、第２縦板８２の後方に位置している。各掛止部７４は、例えば、樹脂製又は金属製である。
【００８８】
図５に示すように、本実施形態の各掛止部７４には、下方に凹み上方に開口した凹部７５が形成されている。凹部７５は掛止部７４の左右方向に亘って形成されている。凹部７５の左右方向と直交する断面の形状は、凹部７５の左右方向に亘って同じである。
【００８９】
凹部７５は、凹部７５の後端部に位置する掛止凹部７５０と、掛止凹部７５０の前方に位置し掛止凹部７５０に連続した階段状の段部７５１とを有している。
【００９０】
掛止凹部７５０は上方に開口しており、前方に臨んだ鉛直な掛止面７５２と、掛止面７５２の下端から前方に延びた水平な底面７５３と、底面７５３の前端から上方に延びて後方に臨んだ鉛直な段差面７５４とを備えている。
【００９１】
引出位置に配置された足置き３７は、図６Ａに示すように、各被掛止部７６が対応する掛止部７４の掛止凹部７５０に嵌まって掛止面７５２に引っ掛かるロック位置に配置されることで、後方への移動が規制される。
【００９２】
図５に示すように、階段状の段部７５１は、複数の凹段部７５５を備えている。図示例の段部７５１は、合計４段の凹段部７５５を備えている。
【００９３】
複数の凹段部７５５は、前後方向に並んでいる。複数の凹段部７５５の各々は、水平な底面７５６と、底面７５６の前端から上方に延びて後方に臨んだ鉛直な段差面７５７とを備えている。
【００９４】
複数の凹段部７５５のうち、最も後に位置する凹段部７５５は、底面７５６が掛止凹部７５０の段差面７５４の上端に繋がっている。複数の凹段部７５５のうち、最も後に位置する凹段部７５５を除く他の凹段部７５５は、底面７５６が後側に隣接する凹段部７５５の段差面７５７の上端に繋がっている。これにより、凹部７５における掛止凹部７５０の後方には、前上がりの階段状の面が形成されている。
【００９５】
図６Ａに示すように本実施形態のロック機構７３は、足置き３７の左右の端板５６，５６に対して連結された連結部材７７を備えている。なお、左右の連結部材７７のうち、左側の連結部材は図示されていないが、右側の連結部材７７と同様の構造である。
【００９６】
各連結部材７７は、例えば、樹脂製又は金属製である。本実施形態の各連結部材７７は、左右方向に見て後下がりで傾斜した直線状に形成されている。各連結部材７７の前端部は、対応する端板５６に直接又は他の部材を介して左右軸回り方向に回転可能に連結されている。ここで、左右軸回り方向とは、左右方向と平行な回転軸を中心に回転する方向である。
【００９７】
各連結部材７７の後端部には、被掛止部７６が設けられている。なお、左右の被掛止部７６のうち、左側の被掛止部は図示されていないが、右側の被掛止部７６と同様の構造である。
【００９８】
本実施形態の各被掛止部７６は、対応する連結部材７７に取り付けられた円柱状のピンであり、対応する連結部材７７から左右方向の外側に向かって突出している。
【００９９】
各被掛止部７６は、対応する連結部材７７が端板５６に対して回転することで、端板５６に対して上下動する。各連結部材７７には、当該連結部材７７と当該連結部材７７に設けられた被掛止部７６との重みによる、下向きの回転力が常時作用する。
【０１００】
本実施形態のロック機構７３は、各被掛止部７６がロック位置に配置された状態において、左右の連結部材７７の下方への回転をそれぞれ規制する左右の回転規制部材８６を備えている。本実施形態では、足置き３７の各端板５６に回転規制部材８６が取り付けられている。各被掛止部７６がロック位置に配置された状態において、各連結部材７７は対応する回転規制部材８６の上面に当たることで、それ以上の下方への回転が規制される。
【０１０１】
本実施形態のロック機構７３は、足置き３７が収納位置から引出位置に動かされたときに、左右の被掛止部７６がロック位置に移動するようにガイドするガイド部７８を備えている。
【０１０２】
ガイド部７８は、左右の掛止部７４にそれぞれ形成された左右のガイド面７８０と、左右の掛止部７４にそれぞれ取り付けられた左右のガイド部材７８１とを備えている。左右のガイド部材７８１のうちの左側のガイド部材は図示されていないが、右側のガイド部材７８１と同様の構造である。
【０１０３】
各ガイド面７８０は、掛止部７４の上面における掛止凹部７５０よりも後方の部分で構成されており、前上がりで傾斜した傾斜面を備えている。足置き３７が収納位置から引出位置に動かされたとき、各被掛止部７６は、対応するガイド面７８０に当たることで、当該ガイド面７８０に沿って前斜め上方に移動する。
【０１０４】
各ガイド部材７８１は、掛止部７４の凹部７５の上方に配置されている。各ガイド部材７８１は、前後方向に延びた形状を有している。各ガイド部材７８１の後端部は、掛止部７４に、左右軸回り方向に回転可能に連結されている。なお、各ガイド部材７８１は、掛止部７４ではなく、側板３８に対して左右軸回り方向に回転可能に連結されてもよい。
【０１０５】
図示は省略するが、本実施形態のロック機構７３は、左右のガイド部材７８１に付勢力（勢いを付す力）をそれぞれ作用させる左右の付勢部材を備えている。各付勢部材は例えばばねである。なお、各付勢部材はばねに限られず、例えばゴム等の他の弾性部材であってもよい。
【０１０６】
各ガイド部材７８１には、対応する付勢部材から下向きの付勢力が常時作用する。各ガイド部材７８１は、図６Ａに示すように、対応する被掛止部７６がロック位置に配置された状態において、各ガイド部材７８１の前端部が掛止部７４の最前の凹段部７５５の底面７５６に接した状態となる。
【０１０７】
各ガイド部材７８１の下面は、前後方向の中間部が上方に突出するように曲がった弧状の曲面である。各ガイド部材７８１の下面は、足置き３７が収納位置から引出位置まで動かされたときに、被掛止部７６を掛止部７４の凹部７５に導く下ガイド面７８２を構成している。
【０１０８】
各ガイド部材７８１の上面は、足置き３７が図６Ｂに示す前位置から収納位置まで動かされたときに、被掛止部７６を掛止部７４の凹部７５に入らないように後斜め上方に導く上ガイド面７８３を構成している。
【０１０９】
本実施形態では、足置き３７が図３Ｂに示す収納位置に配置されたとき、足置き３７の全体が、足置き収納部３６に収納される。
【０１１０】
本実施形態では、足置き３７が図３Ａに示す引出位置に配置されたとき、足置き３７の前部が、幕板４３よりも前方に突出する。このとき、図１に示すように、上前板４９の後端と、この後方に位置する第１横板７１との間は、第１横板７１と平行な上後板４８によって覆われる。
【０１１１】
利用者は、例えば足置き３７の前端部を掴むことで、足置き３７を前後に動かすことができる。
【０１１２】
図３Ｂに示す収納位置に配置された足置き３７が、図３Ａに示す引き出し位置まで動かされたとき、各被掛止部７６は、対応する掛止部７４のガイド面７８０（図６Ａ参照）に沿って前斜め上方に移動する。この後、各被掛止部７６は、図６Ａに示すガイド部材７８１下方のロック位置まで導かれる。これにより、各被掛止部７６は、対応する掛止部７４の掛止凹部７５０に嵌まり込んで掛止面７５２に引っ掛かり、左右の掛止部７４により足置き３７の後方への移動が規制（ロック）される。
【０１１３】
このように足置き３７の後方への移動が規制されることで、例えば利用者が椅子１１に座って足置き３７に足を置いたときに、利用者から足置き３７に対して後向きの成分を含む荷重が加わったとしても、足置き３７が後方に動き難くなる。
【０１１４】
各被掛止部７６が図６Ａに示すようにロック位置に配置されている状態において、利用者は、足置き３７を引出位置から前位置まで動かすことで、ロック機構７３による足置き３７の後方への移動の規制を解除（アンロック）することができる。
【０１１５】
このように足置き３７が引出位置から前位置まで動かされたとき、左右の連結部材７７の各々に連結された被掛止部７６は対応する掛止部７４の掛止凹部７５０から、図６Ｂに示すように掛止部７４の上面における凹部７５よりも前方の部分７４０に移動する。このとき、各被掛止部７６は、複数の凹段部７５５（図５参照）を一つずつ乗り越えた後、部分７４０に至る。これにより、各被掛止部７６は、対応する掛止面７５２から外れて、ロック機構７３による足置き３７の後方への移動の規制が解除される。すなわち、本実施形態のロック解除機構７９は、左右の被掛止部７６を移動可能に支持する左右の連結部材７７と、足置き３７の移動に伴って左右の被掛止部７６を左右の掛止面７５２から外れる位置まで移動させる左右の段部７５１とで、構成されている。
【０１１６】
本実施形態では、上記のように足置き３７が前位置まで動かされたとき、各被掛止部７６は対応する掛止部７４の各凹段部７５５の段差面７５７（図５参照）に当たりながら、段部７５１（図５参照）を乗り越える。このため、利用者は、ロック機構７３による足置き３７の移動規制を解除したときに、当該解除がなされたことを掛止部７４が段差面７５７に当たる感触から容易に認識することができる。また、これによりロック機構７３による足置き３７の移動規制が不意に解除され難くなる。
【０１１７】
上述のように、各被掛止部７６が対応する掛止部７４の掛止凹部７５０から部分７４０に移動するとき、各被掛止部７６は、ガイド部材７８１を上方に動かしながら、ガイド部材７８１と掛止部７４との間を通過する（図６Ａ及び図６Ｂ参照）。このように各被掛止部７６が、ガイド部材７８１と掛止部７４との間を通過した後、各ガイド部材７８１は付勢部材の付勢力により下向きに回転し、前端部が掛止部７４の最前の凹段部７５５の底面７５６に接した状態に復帰する。
【０１１８】
前位置に配置された足置き３７が、利用者により収納位置まで動かされたとき、各被掛止部７６は図６Ｃに示すようにガイド部材７８１の上ガイド面７８３に沿って後斜め上方に移動し、この後、ガイド部材７８１の後方に移動する。
【０１１９】
このように足置き３７が収納位置に配置されることで、足置き３７は図３Ｂに示すように足置き収納部３６に納まって、洗面化粧ユニット１の利用者にとって邪魔になり難くなる。
【０１２０】
次に第１実施形態とは異なる第２実施形態について説明する。以下の第２実施形態の説明では、第１実施形態と共通する構成については同一の符号を付して説明を省略する。
【０１２１】
本実施形態の化粧台１は、図７に示す第１キャビネット２１を備えている。本実施形態では、第１キャビネット２１が備えた上前板４９の形状が第１実施形態と異なる。
【０１２２】
図８に示すように、上前板４９の上面は、左右方向に見て前斜め上方に突出するように曲がった弧状の曲面であり、本実施形態では、この上前板４９の上面により足置き面５０が構成されている。
【０１２３】
次に第１実施形態とは異なる第３実施形態について説明する。以下の第３実施形態の説明では、第１実施形態と共通する構成については同一の符号を付して説明を省略する。
【０１２４】
本実施形態の化粧台１は、図９Ａ及び図９Ｂに示す第１キャビネット２１を備えている。本実施形態では、足置き３７は、図９Ａに示す収納位置にあるとき、略水平な姿勢となる。また、第１キャビネット２１は、回転機構を備えている。この回転機構は、足置き３７が収納位置（図９Ａ参照）から引出位置（図９Ｂ参照）に動かされたとき、足置き３７を足置き面５０が略水平な姿勢から前下がりで傾斜した姿勢となるまで回転する。
【０１２５】
本実施形態の第１キャビネット２１のキャビネット本体（第１キャビネット本体）３１は、上横板３１１と、左右の側壁板３１０（図１０参照）と、下横板３１２（図１０参照）とを備えている。
【０１２６】
上横板３１１は、左右の側板３８，３８の間に位置し、左右の側板３８，３８に架け渡されている。左右の側壁板３１０は、図１０に示すように、左右の側板３８，３８よりも下方において、左右の側板３８，３８の内面にそれぞれ取り付けられている。下横板３１２は、左右の側壁板３１０の間に位置し、左右の側壁板３１０に架け渡されている。下横板３１２は、上横板３１１（図９Ｂ参照）の下方に位置している。
【０１２７】
本実施形態の足置き収納部３６は、上横板３１１、左右の側壁板３１０及び下横板３１２で構成されている。
【０１２８】
足置き収納部３６の左右の内側面は、左右の側壁板３１０の内面でそれぞれ構成されている。足置き収納部３６の底面は、下横板３１２の上面で構成されており、足置き収納部３６の天面は、上横板３１１の下面で構成されている。
【０１２９】
足置き収納部３６の内側には、上横板３１１、左右の側壁板３１０及び下横板３１２（図９Ｂ参照）で囲まれ、前方に開放された足置き収納空間４６が形成されている。
【０１３０】
足置き収納空間４６には、足置き３７が引出可能に設けられている。本実施形態の足置き３７は、第１実施形態の上後板４８及び上前板４９（図２参照）に代えて、図９Ｂに示す上板４８０及び前板４９０を備えている。
【０１３１】
上板４８０は左右方向の延びた矩形の板状に形成されている。上板４８０の上面は、平面である。本実施形態では、この上板４８０の上面により、足置き面５０が構成されている。
【０１３２】
上板４８０の左右方向の両端部には、左右の端板５６の上端部がそれぞれ接続されている。左右の端板５６の各々は、足置き収納部３６の下横板３１２に載せられている。
【０１３３】
上板４８０及び左右の端板５６の各々の前端部は、前板４９０に接続されている。足置き３７の前面は、前板４９０の前面で構成されている。
【０１３４】
前板４９０の上端部は、上板４８０よりも上方に突出している。本実施形態では、この前板４９０の上端部の後面により、踵受け面５８が構成されている。
【０１３５】
本実施形態の引出機構６３は、図１０に示す、下横板３１２と、ガイドピン６３０と、左右のレール６３１とで構成されている。下横板３１２の上面における左右両側部分には、前後方向に延びた板状のピン取付部材６３５が取り付けられている。各ピン取付部材６３５の前端部には、ガイドピン６３０が取り付けられている。
【０１３６】
各ガイドピン６３０は、下横板３１２の前端部の上方に位置している。左右のガイドピン６３０は、左右のピン取付部材６３５からそれぞれ左右方向の外側に向かって突出した円柱状の軸部６３２と、軸部６３２の先端につながり、左右方向に見て軸部６３２よりも大きな抜止部６３３とを備えている。
【０１３７】
足置き３７の左右の端板５６の内側面には、左右のレール６３１がそれぞれ取り付けられている。各レール６３１は、足置き３７の前端から後端に向かう方向に延びている。左右のピン取付部材６３５は、左右のレール６３１の間に位置している。
【０１３８】
各レール６３１には、左右方向における内側（ピン取付部材６３５側）に向かって開口したレール溝部６３４が形成されている。レール溝部６３４は、レール６３１の長手方向に延びている。
【０１３９】
本実施形態のレール６３１は、レール６３１の長手方向と直交する断面形状が左右方向における内側に向かって開口したＣ字状の部分を有しており、この部分によりレール溝部６３４が構成されている。図１１に示すように、レール溝部６３４の後端は、レール６３１の後端よりも前方に位置している。
【０１４０】
図１０に示すように、各ガイドピン６３０の先部（軸部６３２の先端部及び抜止部６３３）は、対応するレール６３１のレール溝部６３４内に位置している。各レール６３１のレール溝部６３４は、対応するガイドピン６３０の軸部６３２に沿って当該レール溝部６３４の長手方向に移動可能である。なお、各ガイドピン６３０は、抜止部６３３がレール溝６３４の左右方向の内側の開口の縁部に当たることにより、レール溝６３４から抜け出ることが抑制される。
【０１４１】
足置き３７は、左右のレール６３１が左右のガイドピン６３０でガイドされながら、左右の端板５６が下横板３１２の上面に沿って水平な前後方向にスライドして、収納位置と引出位置との間で移動する。
【０１４２】
図１０に示すように、足置き３７が収納位置に配置されたとき、足置き３７は、足置き面５０（上板４８０の上面）が略水平となった状態で、足置き収納部３６に収納される。
【０１４３】
足置き３７が引出位置に引き出されたとき、左右のガイドピン６３０は、図１１に示すように対応するレール溝部６３４の後端部に位置する。これにより、足置き３７は、自重によって左右のガイドピン６３０を支点にして左右のガイドピン６３０よりも前方の部分が下方に移動する方向に回転する。このとき足置き３７は、左右の端板５６の後端部が、図１１に示すように下横板３１２の前端部に当たるまで回転する。
【０１４４】
このように回転した足置き３７は、左右の端板５６の後端部が、下横板３１２の前端部で支持されて、足置き面５０（上板４８０の上面）が、前下がりで傾斜した姿勢となる。すなわち、本実施形態では、前記回転機構が、左右のガイドピン６３０と、左右のレール６３１とにより構成されている。
【０１４５】
利用者は、上記のように引出位置に引き出された足置き３７の前下がりで傾斜した足置き面５０に足を載せて、足置き３７を利用することができる。この足置き３７は、左右のガイドピン６３０よりも前方の部分が持ち上げられた後、後方に押し込まれることにより、収納位置に戻される。このとき、足置き３７は、左右のガイドピン６３０を支点にして、足置き面５０が略水平になるまで上方に回され、この後、後方に動かされて収納位置に配置される。
【０１４６】
なお、図１１に示すように引き出された足置き３７は、足置き３７の左右の端板５６の後端部が、下横板３１２の前端上側の角部に当たる。このため、足置き３７は、ガイドピン６３０よりも前方の部分が持ち上げられない限り、後方に押されても、後方に移動し難い。すなわち、本実施形態では、左右のガイドピン６３０、左右のレール６３１、左右の端板５６及び下横板３１２により、ロック機構７３及びロック解除機構７９が構成されている。
【０１４７】
次に第１実施形態とは異なる第４実施形態について説明する。以下の第４実施形態の説明では、第１実施形態と共通する構成については同一の符号を付して説明を省略する。
【０１４８】
図１２Ａ〜図１２Ｄに、本実施形態の化粧台１の足置き３７の利用の手順を示す。本実施形態の化粧台１が備える第１キャビネット２１は、足置き面５０が略水平な姿勢から前下がりで傾斜した姿勢となるまで足置き３７を回転するための回転機構を備えている。
【０１４９】
本実施形態の足置き３７は、上後板４８、上前板４９及び左右の端板５６，５６に代えて、ベース３７０、回転軸３７３、足置き部材３７４及び付勢部材３７１，３７２を備えている。
【０１５０】
ベース３７０は、ベース部３７５と、前壁部３７６とを備えている。ベース部３７５は水平な板状に形成されている。足置き３７の下面は、ベース部３７５の下面で構成されている。ベース部３７５は、例えば第１実施形態の引出機構６３と同様の引出機構により、図１２Ａに示す収納位置と、図１２Ｂに示す引出位置の間で、前後方向に移動できるように支持されている。
【０１５１】
図１２Ａに示すように、ベース部３７５の前端には、前壁部３７６が接続されている。前壁部３７６は、前後方向に対して垂直な板状に形成されており、ベース部３７５よりも上方に突出している。足置き３７の前面は、前壁部３７６の前面で構成されている。
【０１５２】
ベース部３７５の前部には、ベース部３７５を上下方向に貫通した開口部３７７が形成されている。本実施形態の開口部３７７は、ベース部３７５の前端部に形成された切欠で構成されており、開口部３７７の前方は、前壁部３７６によって塞がれている。開口部３７７には、軸方向が左右方向と平行な回転軸３７３が位置している。回転軸３７３は、ベース部３７５に対して軸回り方向に回転可能に連結されている。
【０１５３】
足置き部材３７４は、付勢部材３７１を介して回転軸３７３に接続されている。以下、付勢部材３７１を第１付勢部材３７１という。
【０１５４】
足置き部材３７４は、上板部３７４０、引掛部３７４１、操作部３７４２及び突出部３７４３を備えている。
【０１５５】
足置き部材３７４は、ベース部３７５の上方に配置されている。上板部３７４０は、ベース部３７５の上面に沿った板状に形成されている。本実施形態の足置き面５０は、上板部３７４０の上面で構成されている。
【０１５６】
ベース部３７５と上板部３７４０との間には、付勢部材３７２が配置されている。以下、付勢部材３７２を第２付勢部材３７２という。
【０１５７】
第２付勢部材３７２は、ばねである。第２付勢部材３７２は、ベース部３７５及び上板部３７４０のうちの一方又は両方に接続されており、上板部３７４０に対してベース部３７５から離れる方向（上方）に力を加える。
【０１５８】
引掛部３７４１は、上板部３７４０の後端部から下方に突出している。引掛部３７４１は、前後方向に略垂直な板状に形成されている。
【０１５９】
操作部３７４２は、上板部３７４０の前端部から下方に突出している。操作部３７４２は、前後方向に略垂直な板状に形成されている。操作部３７４２は、ベース部３７５の開口部３７７における回転軸３７３よりも前方の領域を通ってベース部３７５の下方に突出している。
【０１６０】
操作部３７４２は、第１付勢部材３７１を介して回転軸３７３に接続されている。第１付勢部材３７１は、ばねであり、操作部３７４２に対して回転軸３７３側（後方）に力を加える。
【０１６１】
突出部３７４３は、操作部３７４２から前方に突出している。突出部３７４３は、上板部３７４０と略平行な板状に形成されている。前壁部３７６には前後方向に貫通した孔３７６０が形成されている。突出部３７４３は、孔３７６０に挿入されている。
【０１６２】
足置き３７が図１２Ａに示す収納位置に配置されたとき、第２付勢部材３７２により上方に力が加えられた上板部３７４０は、足置き収納部３６の天面を構成する第１横板７１の下面に当たる。これにより、足置き３７は、足置き面５０（上板部３７４０の上面）が略水平となった状態で、足置き収納部３６に収納される。
【０１６３】
収納位置に配置された足置き３７は、例えば以下に示すように利用者に操作されることで、図１２Ｄに示すように、第１キャビネット本体３１から前方に引き出され、かつ足置き面５０が前下がりで傾斜した状態とされる。
【０１６４】
まず、利用者は、図１２Ａに示すように収納位置に配置された足置き３７を、図１２Ｂに示す引出位置まで前方に引き出す。このように足置き３７が引出位置に引き出された状態では、上板部３７４０の後端部が、第１横板７１の下面に当たる。したがって、足置き面５０は、依然として、略水平である。
【０１６５】
次に利用者は、ベース部３７５から下方に突出した、操作部３７４２の下部に手指を掛け、この操作部３７４２を第１付勢部材３７１の弾性力に抗して前方に引く。これにより、足置き部材３７４は、図１２Ｃに示すように、回転軸３７３に対して前方に移動し、上板部３７４０の後端部が第１横板７１から外れる。すると、足置き部材３７４は、第２付勢部材３７２の弾性力により、回転軸３７３を支点として、上板部３７４０の後部がベース部３７５から上方に離れる方向に回転する。この回転は、例えば、突出部３７４３が前壁部３７６の孔３７６０の下縁に当たるまで行われる。これにより、足置き部材３７４は、足置き面５０が前下がりで傾斜した姿勢となる。すなわち、本実施形態では、第２付勢部材３７２及び回転軸３７３により前記回転機構が構成されている。
【０１６６】
利用者は、前述のように操作部３７４２を手前に引いて足置き部材３７４が図１２Ｃに示す位置まで回転した後、あるいはこの回転の途中において、操作部３７４２から手を放す。これにより、足置き部材３７４は、図１２Ｄに示すように、第１付勢部材３７１の弾性力によって後方に移動し、引掛部３７４１が第１横板７１の前端面に引っ掛かり、後方への移動が規制されたロック状態となる。すなわち、本実施形態のロック機構７３は、回転軸３７３、足置き部材３７４、第１付勢部材３７１及び第２付勢部材３７２によって構成されている。なお、足置き部材３７４と第１横板７１は、前記ロック状態において、磁力により互いに吸着されるようにしてもかまわない。
【０１６７】
利用者は、上記のようにロック状態となった足置き部材３７４が備える、前下がりで傾斜した足置き面５０に足を載せて足置き３７を利用することができる。このとき、足置き部材３７４は、上板部３７４０の後端部が第１横板７１で支持され、突出部３７４３が前壁部３７６の孔３７６０の下縁部で支持されるため、下方には移動しない。また、このとき、前壁部３７６において孔３７６０よりも上方の部分の前面は、足置き面５０に置かれた足の踵を受ける踵受け面５８として利用される。
【０１６８】
上記のように足置き部材３７４がロック状態となった足置き３７は、例えば以下に示すように利用者に操作されることで、図１２Ａに示す収納位置に配置される。
【０１６９】
まず、利用者は、図１２Ｄに示すベース部３７５から下方に突出した、操作部３７４２の下部に手指を掛け、この操作部３７４２を第１付勢部材３７１の弾性力に抗して前方に引く。これにより、足置き部材３７４は、上板部３７４０の後端部が第１横板７１から外れる位置（図１２Ｃに示す位置）に配置される。
【０１７０】
続いて利用者は、操作部３７４２の下部に掛けた手指により、第２付勢部材３７２の弾性力に抗して、操作部３７４２を更に前方に引く。すると、足置き部材３７４は、操作部３７４２が前壁部３７６の後面に接し、この接した部分を支点とし、前記操作部３７４２を前方に引く力により、上板部３７４０が下方に移動する方向に回転する。これにより、足置き部材３７４は、足置き面５０が略水平となる姿勢まで回転する。また、このとき、引掛部３７４１による足置き部材３７４の後方への移動の規制が解除される。すなわち、本実施形態のロック解除機構７９は、足置き部材３７４及び回転軸３７３で構成されている。
【０１７１】
そして、利用者は、このように足置き面５０が略水平となった状態で、足置き３７を後方に押し込むことにより、足置き３７を図１２Ａに示す収納位置に移動する。
【０１７２】
前記各実施形態の化粧台１は、適宜設計変更可能である。
【０１７３】
例えば、各実施形態の足置き面５０の形状は限定されず、第１実施形態及び第２実施形態の足置き面５０は、前下がりで傾斜した断面一直線状の傾斜面であってもよい。また、第３実施形態及び第４実施形態の足置き面５０は、第１実施形態及び第２実施形態の足置き面５０のように弧状の曲面であってもよい。
【０１７４】
また、第１実施形態及び第２実施形態の上前板４９の材料は樹脂に限られず、例えば金属であってもよい。
【０１７５】
また、各実施形態の踵受け面５８の形状は限定されず、例えば踵受け面５８は、水平であってもよいし、足置き面５０の前端から前斜め上方に延びた面であってもよい。また、踵受け面５８は省略可能である。
【０１７６】
また、第１実施形態及び第２実施形態の各掛止部７４の凹部７５の前側の内面は、階段状の段部７５１で構成されているが、前上がりの傾斜面で構成されてもよい。
【０１７７】
また、第１実施形態及び第２実施形態のロック機構７３が備える掛止部７４及び被掛止部７６の各々の数は、１又は３以上であってもよい。
【０１７８】
また、第１実施形態及び第２実施形態のスライドレール６４は、移動レール６７が１本のレールで構成されたシングルスライドレールであってもよい。
【０１７９】
また、第１実施形態、第２実施形態及び第４実施形態の引出機構６３はスライドレール機構に限られない。例えば、引出機構６３は、足置き３７及び足置き収納部３６のうちの一方に設けられる凹部と他方に設けられて凹部にスライド可能に嵌まる突部とで構成されてもよい。
【０１８０】
また、第４実施形態の第１付勢部材３７１及び第２付勢部材３７２の各々は例えばゴム等のばね以外の弾性力を有する部材で構成されてもよい。
【０１８１】
また、各実施形態の足置き３７は、足置き収納部３６から前方に引出可能に設けられているが、足置き３７の引出方向は前方に制限されない。例えば、第１キャビネット本体３１が左方又は右方に開口した足置き収納部３６を備え、この足置き収納部３６に足置き３７が、左方又は右方に引出可能に設けられてもよい。
【０１８２】
また、各実施形態の足置き３７は、第１キャビネット２１に設けられているが、第２キャビネット２２に設けられてもよいし、第１キャビネット２１と第２キャビネット２２との両者に設けられてもよい。
【０１８３】
また、各実施形態の洗面ボウル３０は、第１カウンター４１とは別の部材であってもよい。また、化粧台１は、キャビネット２を例えば一つだけ備えてもよい。この場合、キャビネット２は洗面ボウル３０を備えた洗面台であってもよいし、洗面ボウル３０を備えない台であってもよい。また、化粧台１は、キャビネット２と一体に設けられた鏡を備えてもよい。
【０１８４】
また、各実施形態のキャビネット２は、化粧台１の一部を構成するものであるが、調理台、流し台又は、棚等の他のキャビネットとして利用されるキャビネットであってもよい。
【０１８５】
以上説明した各実施形態のキャビネット２（第１キャビネット２１）は、以下の特徴を有する。キャビネット２は、足置き３７を備える。足置き３７は、前下がりの足置き面５０を有する。以下、この特徴を有するキャビネット２を第１の態様のキャビネット２という。
【０１８６】
また、各実施形態の化粧台１は、以下に示す特徴を有する。化粧台は、足置き３７を備える。足置き３７は、前下がりの足置き面５０を有する。以下、この特徴を有する化粧台１を第１の態様の化粧台１という。
【０１８７】
第１の態様のキャビネット２及び第１の態様の化粧台１にあっては、利用者は、例えば椅子１１に座り、足を足置き３７に足先が踵よりも上方に位置するように置くことで、容易に足側に体重をかけた姿勢で座ることができる。従って、利用者は、足側に体重をかけて体に負担のかかり難い姿勢で座ることができる。
【０１８８】
また、第１の態様の化粧台１は、化粧台１を利用する利用者が、足置き３７を利用して、ペディキュアをしたり、脚にボディクリームを塗ったりすることができる。
【０１８９】
また、第１実施形態及び第２実施形態のキャビネット２（第１キャビネット２１）は、第１の態様のキャビネット２が有する特徴に加えて、以下に示す付加的な特徴を有する。足置き面５０は、足置き面５０の前端ａ１と後端ａ２との間の部分が、前端ａ１と後端ａ２とを結ぶ仮想平面Ｐよりも上方に張り出すように形成される。以下、このキャビネット２を第２の態様のキャビネット２という。
【０１９０】
第２の態様のキャビネット２にあっては、足置き面５０が足裏のアーチ状の部分に沿った形状となる。このため、利用者は、足を足置き３７に安定して載せることができる。
【０１９１】
また、第１実施形態、第３実施形態及び第４実施形態のキャビネット２（第１キャビネット２１）は、第１の態様のキャビネット２が有する特徴に加えて、以下に示す付加的な特徴を有する。足置き３７は、足置き面５０の前端部の前方に位置する踵受け面５８を備える。以下、このキャビネット２を第３の態様のキャビネット２という。
【０１９２】
第３の態様のキャビネット２は、利用者は、足置き面５０に載せた足の踵を踵受け面５８に掛けることができ、これにより、足置き面５０に置かれた足がずり落ち難くなる。また、踵受け面５８を設けることで、視覚的に踵を載せる位置を明示することができる。従って利用者は、足を足置き３７に安定して載せることができる。
【０１９３】
また、各実施形態のキャビネット２（第１キャビネット２１）は、第１〜第３のいずれか１つの態様のキャビネット２が有する特徴に加えて、以下に示す付加的な特徴を有する。足置き３７が出入可能に収納される足置き収納部３６を備える。以下、このキャビネット２を第４の態様のキャビネット２という。
【０１９４】
第４の態様のキャビネット２にあっては、利用者は、足置き３７を利用しないときに、足置き３７を足置き収納部３６に収納することができる。
【０１９５】
また、各実施形態のキャビネット２（第１キャビネット２１）は、第４の態様のキャビネット２が有する特徴に加えて、以下に示す付加的な特徴を有する。足置き３７が足置き収納部３６に対して前方に引出可能である。キャビネット２は、足置き収納部３６から引き出された足置き３７が、後方に移動することを規制するロック機構７３を備える。以下、このキャビネット２を第５の態様のキャビネット２という。
【０１９６】
第５の態様のキャビネット２にあっては、利用者は、足置き３７を足置き収納部３６の前方に引き出して利用することができる。また、ロック機構７３により引出位置に配置された足置き３７が後方に移動することを規制することができる。このため、例えば利用者が足置き３７に足を置いた状態で利用者から足置き３７に荷重が加わっても、足置き３７が引出方向と反対方向に移動し難くなる。従って、足置き３７の使い勝手がよくなる。
【０１９７】
また、各実施形態のキャビネット２（第１キャビネット２１）は、第５の態様のキャビネット２が有する特徴に加えて、以下に示す付加的な特徴を有する。キャビネット２は、床９３に設置されるキャビネット本体３１を備える。キャビネット本体３１における上下方向の中間部に、足置き収納部３６が形成される。以下、このキャビネット２を第６の態様のキャビネット２という。
【０１９８】
第６の態様のキャビネット２にあっては、利用者は、床から上方に離れた適切な高さに位置する足置き収納部３６から足置き３７を前方に引き出すことで、足置き３７を容易に利用することができる。
【０１９９】
また、各実施形態のキャビネット２（第１キャビネット２１）は、第６の態様のキャビネット２が有する特徴に加えて、以下に示す付加的な特徴を有する。キャビネット２は、ロック機構７３による足置き３７の後方への移動の規制を解除するロック解除機構７９を備える。以下、このキャビネット２を第７の態様のキャビネット２という。
【０２００】
第７の態様のキャビネット２にあっては、ロック解除機構７９により、ロック機構７３による足置き３７の後方への移動の規制を解除することができる。
【０２０１】
また、第３実施形態及び第４実施形態のキャビネット２（第１キャビネット２１）は、第４〜第７のいずれかの態様のキャビネット２が有する特徴に加えて、以下に示す付加的な特徴を有する。キャビネット２は、足置き収納部３６から引き出された足置き３７を、足置き面５０が前下がりで傾斜した姿勢とこれよりも水平に近い姿勢との間で回転するための回転機構を備える。足置き３７は、足置き収納部３６に前記水平に近い姿勢で収納される。
【０２０２】
このキャビネット２にあっては、足置き３７を足置き収納部３６に水平に近い姿勢で収納することができる。このため、キャビネット２の収納空間の容量を大きくすることができる。
【０２０３】
また、各実施形態の化粧台１は、第１の態様の化粧台１が有する特徴に加えて、以下に示す特徴を有する。化粧台１は、洗面ボウル３０を備える。足置き３７が、洗面ボウル３０よりも下方に位置する。以下、この化粧台１を第２の態様の化粧台１という。
【０２０４】
第２の態様の化粧台１は、洗面ボウル３０を備えるため、洗面化粧台として利用することができる。
【符号の説明】
【０２０５】
ａ１  足置き面の前端
ａ２  足置き面の後端
Ｐ  仮想平面
１  化粧台
２  キャビネット
３０  洗面ボウル
３１  キャビネット本体
３６  足置き収納部
３７  足置き
５０  足置き面
５８  踵受け面
７３  ロック機構
７９  ロック解除機構
９３  床
【図１】
2019037740.tif 000003
【図２】
2019037740.tif 000004
【図３】
2019037740.tif 000005
【図４】
2019037740.tif 000006
【図５】
2019037740.tif 000007
【図６】
2019037740.tif 000008
【図７】
2019037740.tif 000009
【図８】
2019037740.tif 000010
【図９】
2019037740.tif 000011
【図１０】
2019037740.tif 000012
【図１１】
2019037740.tif 000013
【図１２】
2019037740.tif 000014